(57)【要約】【課題】プラズマディスプレイ装置で、専用の電源を準備しなくても所望の電圧まで上昇または下降する傾斜波形電圧を発生させる。【解決手段】傾斜波形電圧発生回路８０は、インダクタＬ８０とスイッチング素子Ｑ８０とダイオードＤ８０とスイッチ制御部８３とを有し、インダクタＬ８０とスイッチング素子Ｑ８０とを直列に接続して所定の電源Ｖａに接続し、インダクタＬ８０の端子のうちスイッチング素子Ｑ９１が接続された端子にダイオードＤ８０の一方の端子を接続し、ダイオードＤ８０の他方の端子を維持パルス発生回路５０の出力に接続し、スイッチ制御部８３はスイッチング素子Ｑ８０をオン・オフさせるための制御パルス信号を発生することを特徴とする。【選択図】図５
2009020319.tif 000002
【特許請求の範囲】
【請求項１】
表示電極対を有するプラズマディスプレイパネルと、前記表示電極対に印加する維持パルスを発生させる維持パルス発生回路と、前記表示電極対に印加する傾斜波形電圧を発生させる傾斜波形電圧発生回路とを備えたプラズマディスプレイ装置であって、
前記傾斜波形電圧発生回路は、インダクタとスイッチング素子とダイオードとスイッチ制御部とを有し、前記インダクタと前記スイッチング素子とを直列に接続して所定の電源に接続し、前記インダクタの端子のうち前記スイッチング素子が接続された端子に前記ダイオードの一方の端子を接続し、前記ダイオードの他方の端子を前記維持パルス発生回路の出力に接続し、前記スイッチ制御部は前記スイッチング素子をオン・オフさせるための制御パルス信号を発生することを特徴とするプラズマディスプレイ装置。
【請求項２】
前記傾斜波形電圧発生回路は電圧検出部をさらに有し、前記電圧検出部は前記傾斜波形電圧発生回路の出力電圧と予め定められたしきい値電圧とを比較して前記傾斜波形電圧発生回路の出力電圧が前記しきい値電圧を超えたことを検出し、前記スイッチ制御部は前記電圧検出部の検出出力に従って前記制御パルス信号を停止させることを特徴とする請求項１に記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
プラズマディスプレイパネル（以下、「パネル」と略記する）として代表的な交流面放電型パネルは、１対の走査電極と維持電極とからなる表示電極対が複数形成された前面板と、複数の平行なデータ電極が形成された背面板とを対向配置し、その間に多数の放電セルが形成されている。そして放電セル内でガス放電により紫外線を発生させ、この紫外線で赤色、緑色および青色の各色の蛍光体を励起発光させてカラー表示を行っている。
【０００３】
パネルを駆動する方法としてはサブフィールド法、すなわち、１フィールドを複数のサブフィールドに分割した上で、発光させるサブフィールドの組み合わせによって階調表示を行う方法が一般的である。各サブフィールドは、初期化期間、書込み期間および維持期間を有する。初期化期間では初期化放電を発生し、続く書込み動作に必要な壁電荷を形成する。書込み期間では、表示する画像に応じて選択的に放電セルで書込み放電を発生し壁電荷を形成する。そして維持期間では、走査電極と維持電極とからなる表示電極対に交互に維持パルスを印加して維持放電を発生させ、対応する放電セルの蛍光体層を発光させることにより画像表示を行う。
【０００４】
この駆動方法において、初期化期間に弱い初期化放電を発生させるために、また維持期間の最後に消去放電を発生させるために、緩やかに上昇または下降する傾斜波形電圧を表示電極対の一方または両方に印加する必要があった。この傾斜波形電圧を安定して発生させるために、従来は、主にミラー積分回路を用いていた（例えば、特許文献１参照）。
【特許文献１】特開平１１−１３３９１４号公報
【発明の開示】
【発明が解決しようとする課題】
【０００５】
しかしながら、初期化放電を発生させるための電圧、消去放電を発生させるための電圧は、パネルの仕様により変更されることが多く、またプラズマディスプレイ装置の使用状態によって電圧を切換える設計とすることも多い。そのために、傾斜波形電圧を発生させるための電源は他の電源と兼用することが難しく、専用の電源を準備する必要があった。また、電圧の可変範囲を確保するために、高い電圧を持つ電源を準備して、そこからミラー積分回路を用いて傾斜波形電圧を発生させていたために、消費電力が大きくなるという課題もあった。
【０００６】
本発明は、これらの課題に鑑みなされたものであり、専用の電源を準備しなくても所望の電圧まで上昇または下降する傾斜波形電圧を発生させることが可能な駆動回路を備えたプラズマディスプレイ装置を提供することを目的とする。
【課題を解決するための手段】
【０００７】
上記目的を達成するために、本発明は、表示電極対を有するパネルと、表示電極対に印加する維持パルスを発生させる維持パルス発生回路と、表示電極対に印加する傾斜波形電圧を発生させる傾斜波形電圧発生回路とを備えたプラズマディスプレイ装置であって、傾斜波形電圧発生回路は、インダクタとスイッチング素子とダイオードとスイッチ制御部とを有し、インダクタとスイッチング素子とを直列に接続して所定の電源に接続し、インダクタの端子のうちスイッチング素子が接続された端子にダイオードの一方の端子を接続し、ダイオードの他方の端子を維持パルス発生回路の出力に接続し、スイッチ制御部はスイッチング素子をオン・オフさせるための制御パルス信号を発生することを特徴とする。この構成により、専用の電源を準備しなくても所望の電圧まで上昇または下降する傾斜波形電圧を発生させることが可能な駆動回路を備えたプラズマディスプレイ装置を提供することができる。
【０００８】
また本発明のプラズマディスプレイ装置の傾斜波形電圧発生回路は電圧検出部をさらに有し、電圧検出部は傾斜波形電圧発生回路の出力電圧と予め定められたしきい値電圧とを比較して傾斜波形電圧発生回路の出力電圧がしきい値電圧を超えたことを検出し、スイッチ制御部は電圧検出部の検出出力に従って制御パルス信号を停止させる構成であってもよい。
【発明の効果】
【０００９】
本発明によれば、専用の電源を準備しなくても所望の電圧まで上昇または下降する傾斜波形電圧を発生させることが可能な駆動回路を備えたプラズマディスプレイ装置を提供することが可能となる。
【発明を実施するための最良の形態】
【００１０】
以下、本発明の実施の形態におけるプラズマディスプレイ装置について、図面を用いて説明する。
【００１１】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１２】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００１３】
なお、パネル１０の構造は上述したものに限られるわけではなく、例えばストライプ状の隔壁を備えたものであってもよい。
【００１４】
図２は、本発明の実施の形態１におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１５】
なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量が存在する。また走査電極ＳＣ１〜ＳＣｎとデータ電極Ｄ１〜Ｄｍとの間にも電極間容量が存在する。そのため走査電極ＳＣ１〜ＳＣｎは大きな等価容量を持つ容量性の負荷となる。
【００１６】
次に、パネル１０を駆動するための駆動電圧波形とその動作について説明する。プラズマディスプレイ装置は、サブフィールド法、すなわち１フィールドを複数のサブフィールドに分割し、サブフィールド毎に各放電セルの発光・非発光を制御することによって画像を表示する。それぞれのサブフィールドは初期化期間、書込み期間および維持期間を有する。初期化期間では初期化放電を発生し、続く書込み放電に必要な壁電荷を各電極上に形成する。書込み期間では、発光させるべき放電セルで選択的に書込み放電を発生し壁電荷を形成する。そして維持期間では、サブフィールド毎に予め決められた輝度重みに応じた数の維持パルスを表示電極対に交互に印加して、書込み放電を発生した放電セルで維持放電を発生させて発光させる。
【００１７】
サブフィールド構成としては、例えば、１フィールドを１０のサブフィールド（第１ＳＦ、第２ＳＦ、・・・、第１０ＳＦ）に分割し、各サブフィールドはそれぞれ、（１、２、３、６、１１、１８、３０、４４、６０、８０）の輝度重みを持つものとする。しかし、本発明はサブフィールド数や各サブフィールドの輝度重みが上記の値に限定されるものではない。
【００１８】
図３は、本発明の実施の形態１におけるプラズマディスプレイ装置の各電極に印加する駆動電圧波形図である。図３には、２つのサブフィールドの駆動電圧波形を示しているが、他のサブフィールドにおける駆動電圧波形もほぼ同様である。
【００１９】
第１ＳＦの初期化期間の前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上に負の壁電圧が蓄積されるとともに、データ電極Ｄ１〜Ｄｍ上および維持電極ＳＵ１〜ＳＵｎ上には正の壁電圧が蓄積される。ここで、電極上の壁電圧とは電極を覆う誘電体層上、保護層上、蛍光体層上等に蓄積された壁電荷により生じる電圧を表す。
【００２０】
初期化期間の後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、走査電極ＳＣ１〜ＳＣｎとデータ電極Ｄ１〜Ｄｍとの間でそれぞれ微弱な初期化放電が起こる。そして、走査電極ＳＣ１〜ＳＣｎ上の負の壁電圧および維持電極ＳＵ１〜ＳＵｎ上の正の壁電圧が弱められ、データ電極Ｄ１〜Ｄｍ上の正の壁電圧は書込み動作に適した値に調整される。以上により、初期化動作が終了する。
【００２１】
なお、初期化期間の駆動電圧波形としては、図３の第２ＳＦの初期化期間に示したように、初期化期間の後半部の電圧波形だけを印加してもよく、この場合には直前のサブフィールドの維持期間において維持放電を行った放電セルで選択的に初期化放電が発生する。
【００２２】
続く書込み期間では、維持電極ＳＵ１〜ＳＵｎに電圧Ｖｅ２を、走査電極ＳＣ１〜ＳＣｎに電圧Ｖｃを印加する。
【００２３】
次に、１行目の走査電極ＳＣ１に電圧Ｖａである負の走査パルスを印加するとともに、データ電極Ｄ１〜Ｄｍのうち１行目に発光させるべき放電セルのデータ電極Ｄｋ（ｋ＝１〜ｍ）に電圧Ｖｄである正の書込みパルスを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００２４】
このようにして、１行目に発光させるべき放電セルで書込み放電を起こして各電極上に壁電圧を蓄積する書込み動作が行われる。一方、書込みパルスＶｄを印加しなかったデータ電極Ｄ１〜Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。
【００２５】
続く維持期間では、維持電極ＳＵ１〜ＳＵｎに０（Ｖ）を印加するとともに走査電極ＳＣ１〜ＳＣｎに維持パルス電圧Ｖｓを印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。このとき走査電極ＳＣｉ上に負の壁電圧が蓄積され、維持電極ＳＵｉ上に正の壁電圧が蓄積される。さらにデータ電極Ｄｋ上にも正の壁電圧が蓄積される。
【００２６】
ただし、書込み期間において書込み放電が起きなかった放電セルでは維持放電は発生せず、初期化期間の終了時における壁電圧が保たれる。
【００２７】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００２８】
以降同様に、走査電極ＳＣ１〜ＳＣｎと維持電極ＳＵ１〜ＳＵｎとに交互に輝度重みに応じた数の維持パルスを印加することにより、書込み期間において書込み放電を起こした放電セルで維持放電が継続して行われる。
【００２９】
そして、維持期間の最後には、消去波形を走査電極ＳＣ１〜ＳＣｎに印加して、データ電極Ｄｋ上の正の壁電圧を残したまま、走査電極ＳＣｉおよび維持電極ＳＵｉ上の壁電圧を消去している。具体的には、維持電極ＳＵ１〜ＳＵｎを０（Ｖ）に戻した後、走査電極ＳＣ１〜ＳＣｎに電圧Ｖｅｒｓまで緩やかに上昇する傾斜波形電圧を印加する。すると、維持放電を起こした放電セルの維持電極ＳＵｉと走査電極ＳＣｉとの間で弱い放電が起こり、走査電極ＳＣｉ上と維持電極ＳＵｉ上との間の壁電圧が弱められる。こうして維持期間における維持動作が終了する。なお、本実施の形態においては、電圧Ｖｅｒｓは、例えば維持パルス電圧Ｖｓ以上の電圧に設定されている。
【００３０】
続くサブフィールドの動作は第１ＳＦの動作とほぼ同様であるため説明を省略する。
【００３１】
次に、パネル１０を駆動するための駆動回路とその動作について説明する。図４は、本発明の実施の形態１におけるプラズマディスプレイ装置４０の回路ブロック図である。プラズマディスプレイ装置４０は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００３２】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する信号に変換し各データ電極Ｄ１〜Ｄｍを駆動する。タイミング発生回路４５は同期信号をもとにして各回路ブロックの動作を制御する各種のタイミング信号を発生し、それぞれの回路ブロックへ供給する。走査電極駆動回路４３は、タイミング信号にもとづいて各走査電極ＳＣ１〜ＳＣｎをそれぞれ駆動する。維持電極駆動回路４４は、タイミング信号にもとづいて維持電極ＳＵ１〜ＳＵｎを駆動する。
【００３３】
図５は、本発明の実施の形態１におけるプラズマディスプレイ装置４０の走査電極駆動回路４３の回路図である。
【００３４】
走査電極駆動回路４３は、維持パルスを発生させる維持パルス発生回路５０と、初期化波形を発生させる初期化波形発生回路６０と、走査パルスを発生させる走査パルス発生回路７０と、消去波形としての傾斜波形電圧を発生させる傾斜波形電圧発生回路８０とを備えている。
【００３５】
維持パルス発生回路５０は、走査電極ＳＣ１〜ＳＣｎを駆動するときの電力を回収して再利用するための電力回収回路５１と、走査電極ＳＣ１〜ＳＣｎを電圧Ｖｓにクランプするためのスイッチング素子Ｑ５５と、走査電極ＳＣ１〜ＳＣｎを０（Ｖ）にクランプするためのスイッチング素子Ｑ５６とを有する。なおスイッチング素子Ｑ９１は分離スイッチであり、スイッチング素子Ｑ５５、Ｑ５６の寄生ダイオードを介して電流が逆流するのを防止するために設けられている。そしてスイッチング素子Ｑ９１を導通させることで、図５に示したＣ点の電位とＢ点の電位とが等しくなる。
【００３６】
走査パルス発生回路７０は、電圧Ｖａである電源をもとにして走査パルスを発生し、書込み期間において走査パルスを走査電極ＳＣ１〜ＳＣｎのそれぞれに順次印加する。なお、走査パルス発生回路７０は、初期化期間および維持期間では維持パルス発生回路５０または初期化波形発生回路６０の出力電圧をそのまま出力する。すなわち、図５に示したＡ点の電位を走査電極ＳＣ１〜ＳＣｎへ出力する。
【００３７】
初期化波形発生回路６０は、ミラー積分回路６１、６２を備え、上述した初期化波形を発生させる。ミラー積分回路６１は、トランジスタＱ６１とコンデンサＣ６１と抵抗Ｒ６１とを有し、電圧Ｖｉ２までランプ状に緩やかに上昇する上り傾斜波形電圧を発生し、ミラー積分回路６２は、トランジスタＱ６２とコンデンサＣ６２と抵抗Ｒ６２とを有し、電圧Ｖｉ４までランプ状に緩やかに低下する下り傾斜波形電圧を発生する。なおスイッチング素子Ｑ９２も分離スイッチであり、走査電極駆動回路４３を構成するスイッチング素子の寄生ダイオード等を介して電流が逆流するのを防止するために設けられている。そしてスイッチング素子Ｑ９２を導通させることで、図５に示したＢ点の電位とＡ点の電位とが等しくなる。
【００３８】
傾斜波形電圧発生回路８０は、インダクタＬ８０と、スイッチング素子Ｑ８０と、ダイオードＤ８０と、電圧検出部８１と、スイッチ制御部８３とを有する。電圧検出部８１は電圧Ｖｅｒｓを検出するため、以下、「Ｖｅｒｓ電圧検出部８１」と称する。インダクタＬ８０とスイッチング素子Ｑ８０とは直列に接続され所定の電源に接続されている。本実施の形態においては所定の電源として、インダクタＬ８０の一方の端子を０（Ｖ）に接続し、スイッチング素子Ｑ８０の一方の端子を電圧Ｖａである電源に接続している。ここで電圧Ｖａである電源は走査パルス発生回路７０で走査パルスを発生させるための電源である。
【００３９】
さらにインダクタＬ８０の端子のうちスイッチング素子Ｑ８０が接続された端子にダイオードＤ８０の一方の端子、本実施の形態においてはアノードを接続し、ダイオードＤ８０のカソードを維持パルス発生回路５０の出力（図５に示したＢ点）に接続している。
【００４０】
Ｖｅｒｓ電圧検出部８１は、傾斜波形電圧発生回路８０の出力電圧と予め定められたしきい値電圧、本実施の形態においては電圧Ｖｅｒｓとを比較して傾斜波形電圧発生回路８０の出力電圧が電圧Ｖｅｒｓを超えたことを検出する。スイッチ制御部８３はスイッチング素子Ｑ８０をオン・オフさせるための制御パルス信号を発生するとともに、Ｖｅｒｓ電圧検出部８１の検出出力に従って制御パルス信号を停止させる。
【００４１】
なお、インダクタＬ８０は、発生させるべき傾斜波形電圧の形状、走査電極ＳＣ１〜ＳＣｎの等価容量、インダクタＬ８０に電流を流すための所定の電源の電圧、スイッチング素子Ｑ８０の応答速度等を勘案して適切に選択することが望ましい。本実施の形態においては、走査電極ＳＣ１〜ＳＣｎの等価容量がおよそ０．２μＦであり、インダクタＬ８０のインダクタンスは４．７μＨに設定している。
【００４２】
次に、消去波形を発生する傾斜波形電圧発生回路８０の動作について説明する。図６は、本発明の実施の形態１におけるプラズマディスプレイ装置４０の傾斜波形電圧発生回路８０の動作を説明するためのタイミングチャートであり、図３において、消去波形を発生させる期間Ｔ（破線で囲った期間）の詳細なタイミングチャートである。なお、以下の説明においてスイッチング素子およびダイオードを導通させる動作をオン、遮断させる動作をオフと表記する。また期間Ｔではスイッチング素子Ｑ９２はオンであり、走査パルス発生回路７０はＡ点の電圧をそのまま出力するので、傾斜波形電圧発生回路８０の出力はスイッチング素子Ｑ９２および走査パルス発生回路７０を介して走査電極ＳＣ１〜ＳＣｎに出力される。
【００４３】
時刻ｔ１において、スイッチング素子Ｑ８０をオンにする。すると電圧Ｖａの電源に向かってインダクタＬ８０に電流が流れ始める。
【００４４】
次に時刻ｔ２において、スイッチング素子Ｑ８０をオフにする。するとインダクタＬ８０を流れる電流はダイオードＤ８０を介して走査電極ＳＣ１〜ＳＣｎに流れこみ、走査電極ＳＣ１〜ＳＣｎの等価容量を充電して走査電極ＳＣ１〜ＳＣｎの電圧が上昇を始める。それとともに走査電極ＳＣ１〜ＳＣｎに流れこむ電流は徐々に減少する。
【００４５】
次に時刻ｔ３において、スイッチング素子Ｑ８０をオンにする。すると電圧Ｖａの電源に向かってインダクタＬ８０に電流が流れる。
【００４６】
時刻ｔ４において、スイッチング素子Ｑ８０をオフにする。するとインダクタＬ８０を流れる電流はダイオードＤ８０を介して走査電極ＳＣ１〜ＳＣｎに流れこみ、走査電極ＳＣ１〜ＳＣｎの等価容量を充電して走査電極ＳＣ１〜ＳＣｎの電圧がさらに上昇する。それとともに走査電極ＳＣ１〜ＳＣｎに流れこむ電流は徐々に減少する。
【００４７】
以降同様に、スイッチング素子Ｑ８０をオンにしてインダクタＬ８０に電流を流す。その後、スイッチング素子Ｑ８０をオフにして走査電極ＳＣ１〜ＳＣｎに電流を流し、走査電極ＳＣ１〜ＳＣｎの等価容量を充電して走査電極ＳＣ１〜ＳＣｎの電圧を上昇させる。なお、このとき走査電極ＳＣ１〜ＳＣｎに流れこむ電流が減少して０になった場合には、その後はダイオードＤ８０がオフになるので電流が逆流することはない。
【００４８】
そして走査電極ＳＣ１〜ＳＣｎの電圧が電圧Ｖｅｒｓを超えると、Ｖｅｒｓ電圧検出部８１は傾斜波形電圧発生回路８０の出力電圧が電圧Ｖｅｒｓを超えたことを検出し、検出信号をスイッチ制御部８３へ出力する。するとスイッチ制御部８３は制御パルス信号を停止してスイッチング素子Ｑ８０をオフにし、走査電極ＳＣ１〜ＳＣｎの電圧がそれ以上上昇しないように制御する。このようにして、傾斜波形電圧発生回路８０は緩やかに上昇する消去波形を発生させる。そしてスイッチング素子Ｑ８０をオンまたはオフのいずれかの状態で用いるために、傾斜波形電圧発生回路８０の電力損失を低く抑えることができる。
【００４９】
本実施の形態においては、スイッチング素子Ｑ８０のオン・オフ周期は１ＭＨｚで一定であり、最初はオンの時間が短く、走査電極ＳＣ１〜ＳＣｎの電圧が上昇するにつれて徐々にオンの時間が長くなるように制御している。オンの時間を制御する方法としては、予め決められた理想的な消去波形と実際の傾斜波形電圧発生回路８０の出力電圧とを比較してその差分値でオンの時間を決定するフィードバック型の制御を行うことも可能である。しかし本実施の形態においては、回路を簡素化するために、予め決められた時間に従ってスイッチング素子Ｑ８０の制御を行った。
【００５０】
図７は、本発明の実施の形態１におけるプラズマディスプレイ装置４０のスイッチング素子Ｑ８０のオン・オフの制御を示す図である。スイッチング素子Ｑ８０のオン・オフの周期は１ＭＨｚであり、消去波形として走査電極ＳＣ１〜ＳＣｎの電圧を０（Ｖ）から２１０（Ｖ）まで上昇させるものとして説明する。まず最初の４周期では、スイッチング素子Ｑ８０をオンさせる時間Ｔｏｎは２００ｎｓ、オフさせる時間Ｔｏｆｆは８００ｎｓである。この間に走査電極ＳＣ１〜ＳＣｎの電圧は０（Ｖ）から６０（Ｖ）まで上昇する。次の２周期では、オンさせる時間Ｔｏｎは２５０ｎｓ、オフさせる時間Ｔｏｆｆは７５０ｎｓである。この間に走査電極ＳＣ１〜ＳＣｎの電圧は６０（Ｖ）から８０（Ｖ）まで上昇する。次の２周期では、オンさせる時間Ｔｏｎは３００ｎｓ、オフさせる時間Ｔｏｆｆは７００ｎｓである。この間に走査電極ＳＣ１〜ＳＣｎの電圧は８０（Ｖ）から１００（Ｖ）まで上昇する。次の１周期では、オンさせる時間Ｔｏｎは３５０ｎｓ、オフさせる時間Ｔｏｆｆは６５０ｎｓである。この間に走査電極ＳＣ１〜ＳＣｎの電圧は１００（Ｖ）から１１０（Ｖ）まで上昇する。次の３周期では、オンさせる時間Ｔｏｎは４００ｎｓ、オフさせる時間Ｔｏｆｆは６００ｎｓである。この間に走査電極ＳＣ１〜ＳＣｎの電圧は１１０（Ｖ）から１４０（Ｖ）まで上昇する。次の４周期では、オンさせる時間Ｔｏｎは４５０ｎｓ、オフさせる時間Ｔｏｆｆは５５０ｎｓである。この間に走査電極ＳＣ１〜ＳＣｎの電圧は１４０（Ｖ）から１８０（Ｖ）まで上昇する。次の３周期では、オンさせる時間Ｔｏｎは５００ｎｓ、オフさせる時間Ｔｏｆｆは５００ｎｓである。この間に走査電極ＳＣ１〜ＳＣｎの電圧は１８０（Ｖ）から２１０（Ｖ）まで上昇する。
【００５１】
このように、走査電極ＳＣ１〜ＳＣｎの電圧が低いときはオンの時間を短く、走査電極ＳＣ１〜ＳＣｎの電圧が上昇するにつれてオンの時間を長くすることにより、走査電極ＳＣ１〜ＳＣｎの電圧をほぼ一定の上昇率、本実施の形態においては１周期あたりほぼ１０（Ｖ）ずつ上昇させることができる。
【００５２】
なお、本実施の形態においては、走査電極ＳＣ１〜ＳＣｎの電圧が０（Ｖ）から６０（Ｖ）の間は放電が発生しないので、駆動時間を短縮するために電圧の上昇率をやや大きめに設定している。またこの間はインダクタＬ８０に流れる電流が０にならないが、これは走査電極ＳＣ１〜ＳＣｎの電圧が低く、インダクタＬ８０の端子間の電位差が小さいためである。
【００５３】
また、本実施の形態においては、予め決められた時間に従ってスイッチング素子Ｑ８０のオン・オフ制御を行う例について説明したが、消去放電を行う放電セルの割合、すなわち点灯率に応じてスイッチング素子Ｑ８０のオンの時間を制御してもよい。点灯率が高いときはオンの時間を長く、点灯率が低いときはオンの時間を短く設定することで、走査電極ＳＣ１〜ＳＣｎの電圧の上昇率を点灯率に依存することなく一定にすることができる。
【００５４】
また、本実施の形態においては、インダクタＬ８０とスイッチング素子Ｑ８０とダイオードＤ８０とＶｅｒｓ電圧検出部８１とスイッチ制御部８３とを用いて消去波形を発生させる例について説明したが、これにＶｉ２電圧検出部１８２を追加して初期化期間における上り傾斜波形電圧を発生させてもよい。
【００５５】
（実施の形態２）
図８は、本発明の実施の形態２におけるプラズマディスプレイ装置の走査電極駆動回路の回路図であり、消去波形と初期化期間における上り傾斜波形電圧とを発生する傾斜波形電圧発生回路１８０を備えた走査電極駆動回路１４３の回路図である。実施の形態２に用いるパネルおよびパネルの各電極に印加する駆動電圧波形は実施の形態１と同様である。
【００５６】
走査電極駆動回路１４３は、維持パルスを発生させる維持パルス発生回路５０と、初期化波形を発生させる初期化波形発生回路１６０と、走査パルスを発生させる走査パルス発生回路７０と、消去波形としての傾斜波形電圧を発生させる傾斜波形電圧発生回路１８０とを備えている。
【００５７】
傾斜波形電圧発生回路１８０は、インダクタＬ１８０と、スイッチング素子Ｑ１８０と、ダイオードＤ１８０と、Ｖｅｒｓ電圧検出部８１と、Ｖｉ２電圧検出部１８２と、スイッチ制御部１８３とを有する。
【００５８】
実施の形態２における走査電極駆動回路１４３が実施の形態１の走査電極駆動回路４３と異なる点は、初期化波形発生回路１６０がミラー積分回路６１を有しない点、従って電圧Ｖｉ２の電源も不要となる点、および傾斜波形電圧発生回路１８０にＶｉ２電圧検出部１８２を追加した点、傾斜波形電圧発生回路１８０のスイッチ制御部１８３が初期化期間前半部においてはＶｉ２電圧検出部１８２の検出出力を、維持期間の最後の期間ＴにおいてはＶｅｒｓ電圧検出部８１の検出出力を用いてスイッチング素子Ｑ１８０をオフにする点である。
【００５９】
すなわち走査電極駆動回路１４３は、実施の形態１における走査電極駆動回路４３と同様に、維持期間の最後の期間Ｔにおいてスイッチング素子Ｑ１８０のオン、オフを繰り返すことにより走査電極ＳＣ１〜ＳＣｎに消去波形を印加する。加えて走査電極駆動回路１４３は、初期化期間の前半部においてもスイッチング素子Ｑ１８０のオン、オフを繰り返すことにより走査電極ＳＣ１〜ＳＣｎに緩やかに上昇する傾斜波形電圧を印加する。そして走査電極ＳＣ１〜ＳＣｎの電圧が電圧Ｖｉ２以上になると、Ｖｉ２電圧検出部１８２が検出信号をスイッチ制御部１８３へ出力する。するとスイッチ制御部１８３はスイッチング素子Ｑ１８０をオフにして、走査電極ＳＣ１〜ＳＣｎの電圧がそれ以上、上昇しないように制御する。
【００６０】
このように、図８に示した走査電極駆動回路１４３を用いると、電圧Ｖｅｒｓの電源および電圧Ｖｉ２の電源を準備しなくても電圧Ｖｅｒｓまで上昇する傾斜波形電圧および電圧Ｖｉ２まで上昇する傾斜波形電圧を発生させることができる。
【００６１】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００６２】
本発明は、専用の電源を準備しなくても所望の電圧まで上昇または下降する傾斜波形電圧を発生させることが可能な駆動回路を備え、プラズマディスプレイ装置として有用である。
【図面の簡単な説明】
【００６３】
【図１】本発明の実施の形態１におけるプラズマディスプレイ装置に用いるパネルの構造を示す分解斜視図
【図２】同プラズマディスプレイ装置に用いるパネルの電極配列図
【図３】同プラズマディスプレイ装置の各電極に印加する駆動電圧波形図
【図４】同プラズマディスプレイ装置の回路ブロック図
【図５】同プラズマディスプレイ装置の走査電極駆動回路の回路図
【図６】同プラズマディスプレイ装置の傾斜波形電圧発生回路の動作を説明するためのタイミングチャート
【図７】同プラズマディスプレイ装置のスイッチング素子のオン・オフの制御を示す図
【図８】本発明の実施の形態２におけるプラズマディスプレイ装置の走査電極駆動回路の回路図
【符号の説明】
【００６４】
１０    パネル
２２    走査電極
２３    維持電極
２４    表示電極対
３２    データ電極
４０    プラズマディスプレイ装置
４２    データ電極駆動回路
４３，１４３    走査電極駆動回路
４４    維持電極駆動回路
４５    タイミング発生回路
５０    維持パルス発生回路
５１    電力回収回路
６０，１６０    初期化波形発生回路
６１，６２    ミラー積分回路
７０    走査パルス発生回路
８０，１８０    傾斜波形電圧発生回路
８１    Ｖｅｒｓ電圧検出部
８３，１８３    スイッチ制御部
１８２    Ｖｉ２電圧検出部
Ｄ８０，Ｄ１８０    ダイオード
Ｌ８０，Ｌ１８０    インダクタ
Ｑ８０，Ｑ１８０    スイッチング素子
【図１】
2009020319.tif 000003
【図２】
2009020319.tif 000004
【図３】
2009020319.tif 000005
【図４】
2009020319.tif 000006
【図５】
2009020319.tif 000007
【図６】
2009020319.tif 000008
【図７】
2009020319.tif 000009
【図８】
2009020319.tif 000010